(57)【特許請求の範囲】
【請求項１】
筒状のヨークと、このヨークの内側に回転可能に設けられるロータと、ロータの巻線に導通した整流子と、整流子に摺接するブラシと、ロータのシャフトを回転可能に支持するベアリングと、ロータのシャフトに摺接するオイルシールと、ヨークに対してブラシ及びベアリングを支持するブラケットとを備え、ブラケットに対してオイルシールを支持するキャップをブラケットと別体で形成し、前記キャップに前記ブラケットに対峙する裏側から圧入し、前記キャップに前記オイルシールを案内するガイドテーパ部を前記オイルシールの外輪角部に対峙して形成し、前記キャップによって前記ブラケットの開口部を塞ぐ構造としたことを特徴とするモータ。
【発明の詳細な説明】
【０００１】
【発明の属する技術分野】
本発明は、整流子モータあるいはジェネレータのシール構造に関するものである。
【０００２】
【従来の技術】
従来の整流子モータのシール構造として、例えば実開平５−６７１６８号公報に開示されたものは、図３に示すように、ロータ３１のシャフト３２に摺接するオイルシール３３を備え、モータ内部への水や油等侵入が防止される。
【０００３】
モータのブラケット３４には、オイルシール３３が圧入されるオイルシールホルダー３６が形成される。オイルシールホルダー３６の開口部にはオイルシール３３の挿入を容易にするためのガイドテーパ部３６ａが形成されている。
【０００４】
【発明が解決しようとする課題】
しかしながら、このような従来のシール構造にあっては、オイルシール３３をオイルシールホルダー３６に対して表側（出力端側）から圧入する構成となっているため、オイルシールホルダー３６にオイルシール３３を案内するガイドテーパ部３６ａを形成する必要があり、その分だけモータの全長が長くなるという問題点があった。
【０００５】
また、オイルシールホルダ３６がブラケット３４に一体形成されているため、仕様環境等によりオイルシール３３を装着しない場合でも、オイルシールホルダ３６をブラケット３４から取り外すことができず、モータの小型化ができないという問題点があった。
【０００６】
本発明は上記の問題点を鑑みてなされたものであり、モータの全長を抑えられるシール構造を提供することを目的とする。
【０００７】
【課題を解決するための手段】
本発明は、筒状のヨークと、このヨークの内側に回転可能に設けられるロータと、ロータの巻線に導通した整流子と、整流子に摺接するブラシと、ロータのシャフトを回転可能に支持するベアリングと、ロータのシャフトに摺接するオイルシールと、ヨークに対してブラシ及びベアリングを支持するブラケットとを備え、ブラケットに対してオイルシールを支持するキャップをブラケットと別体で形成、キャップにブラケットに対峙する裏側から圧入し、キャップにオイルシールを案内するガイドテーパ部をオイルシールの外輪角部に対峙して形成し、キャップによって本ブラケットの開口部を塞ぐ構造としたことを特徴とするものとした。
【００１０】
【発明の作用および効果】
本発明によると、キャップをブラケットに取り付ける前に、オイルシールがキャップのブラケットに対峙する裏側から圧入されることによってキャップに対するオイルシールの組み付けが行われる。このため、キャップにオイルシールを案内するガイドテーパ部を表側（出力端側）に向けて形成する必要がなく、その分だけモータの全長を短くできる。
【００１１】
また、モータの仕様環境等に応じてキャップ及びオイルシールをブラケットから外して用いることも可能であり、その場合、モータの全長をさらに短くできる。
【００１２】
本発明において、オイルシールがこのガイドテーパ部に案内されることよってオイルシールホルダー内に円滑に圧入される。
【００１３】
本発明によると、ブラケットの端面とシャフトの間がキャップ及びオイルシールによって塞がれるため、モータ内のオイルが封止される。これによって、ブラケットにはブラシホルダーの取付部等にブラケットの内外を貫通した開口部等を設けることが可能となり、ブラケットの形状に対する自由度が高まり、生産性の向上がはかられる。
【００１４】
【発明の実施の形態】
以下、本発明の実施の形態を添付図面に基づいて説明する。
【００１５】
図１に示すように、モータは、基本構造体として、モータ外側のケースを構成する有底筒状の金属製ヨーク１と、このヨーク１の開口部を塞ぐブラケット２と、ヨーク１の内側に固定される一対のマグネット（永久磁石）３と、このマグネット３の内側にて回転するロータ（電機子）４と、ロータ４をベアリング１５，１６を介して回転可能に支持するシャフト５とを備える。
【００１６】
モータは、図示しない電源からから供給される電気がロータ４の巻線６に流れることにより、ロータ４にマグネット３の磁力が回転方向に働いてシャフト５が回転駆動される。ロータ４の巻線６に電気を流す構成として、シャフト５に取り付けられ巻線６に導通した整流子７と、整流子７にバネ１０によって押し付けられる一対のブラシ１１と、各ブラシ１１は摺動可能に支持する一対のブラシホルダー１２と、各ブラシ１１から延びる一対の銅編み線１３と、電源に導通したハーネス１４と、各銅編み線１３及びハーネス１４が接続される一対のリードプレート８とを備える。
【００１７】
ブラケット２にはハーネス１４が挿通する配線取り出し部２ｋが形成され、この配線取り出し部２ｋにはハーネス１４との間にグロメット９が介装されて密封される。
【００１８】
ヨーク１及びブラケット２は、複数のボルトを介して図示しないモータ取り付け部材に締結される。ブラケット２は、ロータ４の回転中心軸に略直交する基盤部２ａと、ロータ４の回転中心軸方向に延びてヨーク１の内周面に嵌合する筒部２ｃと、ベアリング１６を支持するベアリングブラケット２ｄ等を有し、これらが樹脂によって一体成形される。
【００１９】
そして本発明の要旨とするところであるが、ブラケット２に対してオイルシール１９を支持するキャップ２０をブラケット２と別部材で形成する。オイルシール１９はシャフト５に摺接し、キャップ２０に対するシャフト５の挿通部を密封する。
【００２０】
本実施の形態では、キャップ２０によってブラケット２の開口部が塞がれる構造となっている。キャップ２０は、オイルシール１９の外輪部を嵌合させる環状のオイルシールホルダー２０ａと、ブラケット２の取付座２ｇに嵌合する円盤部２０ｃとを有し、これらが樹脂によって一体成形される。キャップ２０のブラケット２に対する接合部は、接着、シール材の挟み込み、あるいは超音波接合等の方法によって密封される。
【００２１】
キャップ２０に対するオイルシール１９の組み付け時、オイルシール１９がキャップ２０のブラケット２に対峙する裏側から圧入される構成とする。オイルシールホルダー２０ａにはブラケット２に対峙する裏側に向けて拡がるガイドテーパ部２０ｄが形成され、オイルシール１９がこのガイドテーパ部２０ｄに案内されることよってオイルシールホルダー２０ａ内に円滑に圧入されるようになっている。
【００２２】
以上のように構成されて、次に作用について説明する。
【００２３】
モータは、ハーネス１４から供給される電流が、リードプレート８、銅編み線１３、ブラシ１１、整流子７を通って巻線６に流れることにより、ロータ４にマグネット３の磁力が回転方向に働き、シャフト５を回転駆動する。
【００２４】
ブラケット２の端面がキャップ２０及びオイルシール１９によって塞がれるため、モータ内部への水や油等侵入が防止される。これによって、ブラケット５２にはブラシホルダー１２の取付部等にブラケット２の内外を貫通した開口部等を設けることが可能となり、ブラケット２の形状に対する自由度が高まり、生産性の向上がはかられる。
【００２５】
また、ブラケット２にブラケット２の内外を貫通した開口部等を設けることが可能となったことにより、ブラケット２に対してブラシホルダー１２をカシメ固定して直接取り付ける構造が可能となり、整流子７に対するブラシ１１の位置精度が確保される。この結果、ブラシ１１の位置のアンバランスによってモータに振動や騒音が生じることが抑えられる。
【００２６】
キャップ２０をブラケット２に取り付ける前に、オイルシール１９がキャップ２０のブラケット２に対峙する裏側から圧入されることによってキャップ２０に対するオイルシール１９の組み付けが行われる。このため、キャップ２０にオイルシール１９を案内するガイドテーパ部を表側（出力端側）に向けて形成する必要がなく、その分だけモータの全長を短くできる。
【００２７】
オイルシールホルダー２０ａにはブラケット２に対峙する裏側に向けて拡がるガイドテーパ部２０ｄが形成され、オイルシール１９がこのガイドテーパ部２０ｄに案内されることよってオイルシールホルダー２０ａ内に円滑に圧入される。
【００２８】
オイルシールホルダー２０ａにオイルシール１９が組み付けられた状態で、ガイドテーパ部２０はオイルシール１９の外輪角部１９ａに対峙しているため、オイルシール１９の外輪部との密封性が損なわれないで済む。
【００２９】
また、モータの仕様環境等に応じてキャップ２０及びオイルシール１９をブラケット２から外して用いることも可能であり、その場合、モータの全長をさらに短くできる。
【００３０】
他の実施の形態として、図２に示すように、キャップ２０によってブラケット２の開口部を塞ぐ必要がない場合、キャップ２０は、オイルシール１９の外輪部を嵌合させる環状のオイルシールホルダー２０ａと、ベアリングハウジング８の外周面に嵌合する環状の円筒部２０ｂのみを有する形状として、小型化をはかるようにしても良い。
【００３１】
なお、前記実施の形態において、マグネット３、ブラシ１１、ブラシホルダー１２、リードプレート８は一対に限らず、それ以上の個数を設けても良い。
【００３２】
また、本発明はモータに限らず、ジェネレータ等の回転電機にも適用できる。
【００３３】
本発明は上記の実施の形態に限定されずに、その技術的な思想の範囲内において種々の変更がなしうることは明白である。
【図面の簡単な説明】
【図１】本発明の実施の形態を示し、モータの断面図。
【図２】他の実施の形態を示すモータの断面図。
【図３】従来例を示モータの断面図。
【符号の説明】
１  ヨーク
２  ブラケット
３  マグネット
４  ロータ
５  シャフト
６  巻線
７  整流子
８  リードプレート
１０  バネ
１１  ブラシ
１２  ブラシホルダー
１３  銅編み線
１４  ハーネス
１５，１６  ベアリング
１９  オイルシール
２０  キャップ
２０ｄ  ガイドテーパ部
【図１】
0003752454.tif 000002
【図２】
0003752454.tif 000003
【図３】
0003752454.tif 000004